(57)【要約】      （修正有） 【課題】室内の壁面の一部、あるいは全部に、仮装窓を設けることにより、室内の一部に窓がなく、壁面しかない住居であっても、賃貸することが可能であり、また、室内では、気分よく、楽しく過ごせる仮装窓を開発・提供する。【解決手段】マンション、アパート、事務所、会社、病院、病室等の室内壁面Ｘの一部、あるいは全部に、窓枠１を形成し、該窓枠内に、風景等を撮影した写真２を設けた仮装窓であり、写真２を、他の写真と取り替え可能に設けたことを特徴とする。【選択図】図１
0003149137.tif 000002
【実用新案登録請求の範囲】
【請求項１】
マンション、アパート、事務所、会社、病院、病室等の室内壁面（Ｘ，Ｘ′）の一部、あるいは全部に、窓枠（１，１′，１″）を形成し、該窓枠内に、風景等を撮影した写真（２）を設けたことを特徴とする仮装窓。
【請求項２】
写真（２）を、他の写真と取り替え可能に設けたことを特徴とする請求項１記載の仮装窓。
【考案の詳細な説明】
【技術分野】
【０００１】
この考案は、仮装窓に関するものであって、特に、壁面の一部、あるいは全部に形成するものである。
【背景技術】
【０００２】
従来、同一の階に複数の住居が並列するマンション、アパート等においては、同一階の両端部に位置する住居には、側面に窓を設けることができるが、それ以外の内側に位置する住居においては、窓を設けることが事実上不可能であり、そのため、側面に窓がなく、壁だけとなる住居は、入居希望者にとって人気がなく、空き室として残る可能性が極めて高いものであった。
【０００３】
また、病院施設における入院病棟の各個室病棟においても、患者にとって窓のない部屋では一日中、壁面を見ながらの暗い闘病生活となりがちであり、人気がなく、特に、長期入院の場合には、窓から外部の景色を眺めることにより、外部の季節の移り変わりによる景色の変化を確認しながら過ごすことができ、心が安らぎ、精神的にも安定するものであった。
【０００４】
そして、病院の診療室においても、病人に対し、『病は、気から』とも言われているように、気分をしっかり持つことが大切であり、その病気に対して、診療や入院治療に関しても、その室内環境を正すことにより、気分が一時的にも紛れたり、楽しい気分にさせることが大事である。
【０００５】
さらに、一般の独身者、単身赴任者等にとっても、一日の仕事が終わり、窓のない部屋に帰っても、気分が開放されることなく、閉塞感で気が滅入ることがあった。
【考案の開示】
【考案が解決しようとする課題】
【０００６】
そこで、本願出願人は、室内の壁面の一部、あるいは全部に、仮装窓を設けることにより、室内の一部に窓がなく、壁面しかない住居であっても、賃貸することが可能であり、また、室内では、気分よく、楽しく過ごせる仮装窓を開発・提供することにある。
【課題を解決するための手段】
【０００７】
この考案は、マンション、アパート、事務所、会社、病室等の建物の壁面に、仮装の窓を形成し、該窓の枠内に風景等のリアルな写真を設けたり、場合によっては、該写真を他の写真と取り替え自在に設けたる仮装窓とするものである。
【考案の効果】
【０００８】
この考案によると、平素、殺風景な壁面に窓枠を形成し、該枠内に国内、外国の風景等の写真等を展示することにより、窓から見た景色と錯覚したり、かつて見たこともない外国の風景等が見られることにより、例え、仮装窓であっても、居住者（病人であるを問わず）に閉塞感を与えることなく、心も和ませる等の優れた効果を有するものである。
【０００９】
さらに、窓枠、写真等は簡単に撤去できることから、壁面に穴をあけたりすることがない等の極めて有益なる効果を奏する。
【考案を実施するための最良の形態】
【００１０】
この考案の最良の形態とは、マンション、アパート、事務所、会社、病室等の建物の内側壁面に、立体的な窓枠を形成し、該窓枠内に、該窓枠内に写真を取り替え自在に設けたことを特徴とする仮装窓であり、該窓に装着する写真が、昼と夜とに様変わりしたり、季節ごとに、変化する風景と取り替えるようにした仮装窓である。
【実施例】
【００１１】
この考案の一実施例を図１に従って詳述すると、マンション、アパート、事務所、会社、病室等の室内の壁面（Ｘ）に、適宜な厚みを有する窓枠（１）を形成し、該窓枠（１）内に、該窓枠内に写真（２）を取り替え自在に設けたことを特徴とする仮装窓から構成される。
【００１２】
次に、この考案の他の実施例を図２に従って詳述すると、マンション、アパート、事務所、会社、病室等の室内であって、上部に梁（Ｙ）を有する壁面（Ｘ′）に、棚板（Ｚ）を有する窓枠（１′）を形成し、該窓枠（１′）内に、該窓枠内に写真（２）を取り替え自在に設けたことを特徴とする仮装窓から構成される。
【００１３】
この棚（Ｚ）の幅については、壁面の上部に梁（Ｙ）が存在する場合には、図２に示すように、厚みのある窓枠（１′）に形成してもよいし、また、図３に示すように、壁面（Ｘ）の手前に格子状等の桟を有する開き扉（３）を形成してもよい。
【００１４】
尚、窓枠（１），（１′），（１″）の素材は、アルミサッシの他、ＦＲＰ樹脂で形成してもよく、壁面（Ｘ）への装着手段は、ピン・釘、接着剤で固定する等、特にその手段は特定しない。また、窓枠は、住居する者の要望に応じて高級感を有する木材で構成してもよい。
【００１５】
さらに、窓枠（１），（１′）を設置した壁面（Ｘ）（Ｘ′）の、周囲部分には、図６に示すように、一部を本棚（Ｂ）で被ってもよく、または、そのままであってもよい。
【００１６】
また、風景の写真（２）は、同一の撮影箇所から、春、夏、秋、冬の季節ごとに、順次、変化する風景を撮影した写真と取り替えるよう複数枚の写真を設けてもよい。
【００１７】
さらに、風景写真（２）は、朝、昼、夜の景色を撮影したものでもよく。特に、夜の景色の写真には、蓄光塗料を施し、消灯の後、光るように構成したものでもよい。
【００１８】
また、例えば、故郷を離れた学生や、単身赴任の会社員には、故郷の風景を撮影した写真を展示してもよい。
【００１９】
さらに、壁面（Ｘ）（Ｘ′）に設けた窓枠（１）（１′）（１″）と写真（２）とは、適宜な間隔を保って設け、ガラス板等の透明部材を介在させて、より立体的に形成してもよい。
【００２０】
そして、写真（２）は、印画紙あるいは光沢紙から選ばれたものであって、光沢紙を用いた写真（２）には、裏面よりＬＥＤ等の光源（図示せず）を用いて点灯し、写真を夜の風景にしてもよい。
【産業上の利用可能性】
【００２１】
この考案の壁面に形成する仮装窓の技術を確立し、かつ、この仮装窓を実施・販売することにより産業上の利用可能性がある。
【図面の簡単な説明】
【００２２】
【図１】この考案の一実施例を示す一部欠截斜視図である。
【図２】この考案の他の実施例を示す一部欠截斜視図である。
【図３】この考案のさらに他の実施例を示す一部欠截斜視図である。
【図４】この考案の一実施例を示す一部欠截断面図である。
【図５】この考案の更に他の実施例を示す一部欠截断面図である。
【図６】この考案の他の実施例を示す一部欠截斜視図である。
【図７】この考案の他の実施例を示す一部欠截斜視図である。
【符号の説明】
【００２３】
１  窓枠
１′窓枠
１″窓枠
２  写真
３  開き扉
Ｂ  本棚
Ｘ  壁面
Ｘ′壁面
Ｙ  梁
Ｚ  棚
【図１】
0003149137.tif 000003
【図２】
0003149137.tif 000004
【図３】
0003149137.tif 000005
【図４】
0003149137.tif 000006
【図５】
0003149137.tif 000007
【図６】
0003149137.tif 000008
【図７】
0003149137.tif 000009